(57)【要約】本発明の実施例は、マルチポイント協調システムのスケジューリング割当方法及び装置を提供し、スケジューリング割当方法は、複数のセル基地局又は送信点により送信された、それぞれのセル基地局又は送信点のサービス負荷を示す要求リソースパラメータ及びそれぞれのセル基地局又は送信点の利用可能なリソースの状態を示す利用可能リソースパラメータを受信する、情報受信ステップと、受信された要求リソースパラメータ及び利用可能リソースパラメータに基づいて、複数のセル基地局又は送信点の優先順位をソートする、優先順位ソートステップと、ソートされた優先順位に基づいて、複数のセル基地局又は送信点のスケジューリングモードを決定する、スケジューリング決定ステップと、を含む。本発明の実施例によれば、マルチポイント協調により単一のユーザ機器の性能を向上できると共に、スケジューリングの順序によるセルのユーザ機器のリソースが限られることを回避することで、システム性能の低下を防止できる。【選択図】図２
2014531835.tif 000002
【特許請求の範囲】
【請求項１】
マルチポイント協調システムのスケジューリング割当方法であって、
複数のセル基地局又は送信点により送信された、それぞれのセル基地局又は送信点のサービス負荷を示す要求リソースパラメータ及びそれぞれのセル基地局又は送信点の利用可能なリソースの状態を示す利用可能リソースパラメータを受信する、情報受信ステップと、
前記受信された要求リソースパラメータ及び利用可能リソースパラメータに基づいて、前記複数のセル基地局又は送信点の優先順位をソートする、優先順位ソートステップと、
前記ソートされた優先順位に基づいて、前記複数のセル基地局又は送信点のスケジューリングモードを決定する、スケジューリング決定ステップと、を含む、
スケジューリング割当方法。
【請求項２】
前記スケジューリング割当方法は、マルチポイント協調システムにおける集中型のスケジューラに用いられるものである、或いは
前記スケジューリング割当方法は、前記複数のセル基地局又は送信点のうち１つのセル基地局又は送信点に用いられるものである、
請求項１に記載のスケジューリング割当方法。
【請求項３】
前記要求リソースパラメータは、前記セル基地局又は送信点によってサービスが提供され、活動化された各ユーザ機器に要求される物理リソースブロックの平均数であり、
前記利用可能リソースパラメータは、前記セル基地局又は送信点によってサービスが提供され、活動化された各ユーザ機器の利用可能な物理リソースブロックの平均数である、
請求項１に記載のスケジューリング割当方法。
【請求項４】
前記優先順位ソートステップは、
各セル基地局又は送信点について、前記利用可能リソースパラメータに対する前記要求リソースパラメータの比率を、前記セル基地局又は送信点の優先順位基準値として、計算する、優先順位計算ステップと、
前記優先順位基準値に基づいて、前記複数のセル基地局又は送信点の優先順位を決定する、優先順位決定ステップと、を含む、
請求項１に記載のスケジューリング割当方法。
【請求項５】
前記スケジューリング決定ステップにおいて、前記優先順位に基づいて、前記複数のセル基地局又は送信点のリソース割り当てをさらに決定する、
請求項１に記載のスケジューリング割当方法。
【請求項６】
マルチポイント協調システムにおけるセル基地局又は送信点に用いられる、前記マルチポイント協調システムのスケジューリング割当方法であって、
他のセル基地局又は送信点により送信された、前記他のセル基地局又は送信点のサービス負荷を示す要求リソースパラメータ及び前記他のセル基地局又は送信点の利用可能なリソースの状態を示す利用可能リソースパラメータを受信する、情報受信ステップと、
前記受信された要求リソースパラメータ及び利用可能リソースパラメータ、並びに所定の閾値に基づいて、前記セル基地局又は送信点のスケジューリングモードを決定する、スケジューリング決定ステップと、を含む、
スケジューリング割当方法。
【請求項７】
前記要求リソースパラメータは、前記他のセル基地局又は送信点によってサービスが提供され、活動化された各ユーザ機器に要求される物理リソースブロックの平均数であり、
前記利用可能リソースパラメータは、前記他のセル基地局又は送信点によってサービスが提供され、活動化された各ユーザ機器の利用可能な物理リソースブロックの平均数である、
請求項６に記載のスケジューリング割当方法。
【請求項８】
前記スケジューリング決定ステップは、
前記利用可能リソースパラメータに対する前記要求リソースパラメータの比率を、前記他のセル基地局又は送信点の基準値として、計算する、基準値計算ステップと、
前記基準値と前記閾値とを比較し、比較結果に基づいて前記セル基地局又は送信点のスケジューリングモードを決定する、モード決定ステップと、を含む、
請求項６に記載のスケジューリング割当方法。
【請求項９】
前記スケジューリング決定ステップにおいて、前記利用可能リソースパラメータに対する前記要求リソースパラメータの比率の事後値を、前記他のセル基地局又は送信点の基準値として、さらに計算する、
請求項８に記載のスケジューリング割当方法。
【請求項１０】
前記スケジューリング決定ステップにおいて、比較結果に基づいて、前記セル基地局又は送信点のリソース割り当てをさらに決定する、
請求項８に記載のスケジューリング割当方法。
【請求項１１】
マルチポイント協調システムに用いられるスケジューリング割当装置であって、
複数のセル基地局又は送信点により送信された、それぞれのセル基地局又は送信点のサービス負荷を示す要求リソースパラメータ及びそれぞれのセル基地局又は送信点の利用可能なリソースの状態を示す利用可能リソースパラメータを受信する、情報受信手段と、
前記受信された要求リソースパラメータ及び利用可能リソースパラメータに基づいて、前記複数のセル基地局又は送信点の優先順位をソートする、優先順位ソート手段と、
前記ソートされた優先順位に基づいて、前記複数のセル基地局又は送信点のスケジューリングモードを決定する、スケジューリング決定手段と、を含む、
スケジューリング割当装置。
【請求項１２】
前記スケジューリング割当装置は、マルチポイント協調システムにおける集中型のスケジューラに配置される、或いは
前記スケジューリング割当装置は、前記複数のセル基地局又は送信点のうち１つのセル基地局又は送信点に配置される、
請求項１１に記載のスケジューリング割当装置。
【請求項１３】
前記要求リソースパラメータは、前記セル基地局又は送信点によってサービスが提供され、活動化された各ユーザ機器に要求される物理リソースブロックの平均数であり、
前記利用可能リソースパラメータは、前記セル基地局又は送信点によってサービスが提供され、活動化された各ユーザ機器の利用可能な物理リソースブロックの平均数である、
請求項１１に記載のスケジューリング割当装置。
【請求項１４】
前記優先順位ソート手段は、
各セル基地局又は送信点について、前記利用可能リソースパラメータに対する前記要求リソースパラメータの比率を、前記セル基地局又は送信点の優先順位基準値として、計算する、優先順位計算手段と、
前記優先順位基準値に基づいて、前記複数のセル基地局又は送信点の優先順位を決定する、優先順位決定手段と、を含む、
請求項１１に記載のスケジューリング割当装置。
【請求項１５】
前記スケジューリング決定手段は、前記優先順位に基づいて、前記複数のセル基地局又は送信点のリソース割り当てをさらに決定する、
請求項１１に記載のスケジューリング割当装置。
【請求項１６】
マルチポイント協調システムにおけるセル基地局又は送信点に配置されるスケジューリング割当装置であって、
他のセル基地局又は送信点により送信された、前記他のセル基地局又は送信点のサービス負荷を示す要求リソースパラメータ及び前記他のセル基地局又は送信点の利用可能なリソースの状態を示す利用可能リソースパラメータを受信する、情報受信手段と、
前記受信された要求リソースパラメータ及び利用可能リソースパラメータ、並びに所定の閾値に基づいて、前記セル基地局又は送信点のスケジューリングモードを決定する、スケジューリング決定手段と、を含む、
スケジューリング割当装置。
【請求項１７】
前記要求リソースパラメータは、前記他のセル基地局又は送信点によってサービスが提供され、活動化された各ユーザ機器に要求される物理リソースブロックの平均数であり、
前記利用可能リソースパラメータは、前記他のセル基地局又は送信点によってサービスが提供され、活動化された各ユーザ機器の利用可能な物理リソースブロックの平均数である、
請求項１６に記載のスケジューリング割当装置。
【請求項１８】
前記スケジューリング決定手段は、
前記利用可能リソースパラメータに対する前記要求リソースパラメータの比率を、前記他のセル基地局又は送信点の基準値として、計算する、基準値計算手段と、
前記基準値と前記閾値とを比較し、比較結果に基づいて前記セル基地局又は送信点のスケジューリングモードを決定する、モード決定手段と、を含む、
請求項１６に記載のスケジューリング割当装置。
【請求項１９】
前記スケジューリング決定手段は、前記利用可能リソースパラメータに対する前記要求リソースパラメータの比率の事後値を、前記他のセル基地局又は送信点の基準値として、さらに計算する、
請求項１８に記載のスケジューリング割当装置。
【請求項２０】
前記スケジューリング決定手段は、比較結果に基づいて、前記セル基地局又は送信点のリソース割り当てをさらに決定する、
請求項１８に記載のスケジューリング割当装置。
【請求項２１】
基地局においてプログラムを実行する際に、コンピュータに、請求項１乃至１０のいずれかに記載のスケジューリング割当方法を前記基地局において実行させるコンピュータ読み取り可能なプログラム。
【請求項２２】
コンピュータに、請求項１乃至１０のいずれかに記載のスケジューリング割当方法を基地局において実行させるためのコンピュータ読み取り可能なプログラムを記録する記録媒体。
【発明の詳細な説明】
【技術分野】
【０００１】
本発明は、通信分野に関し、特にマルチポイント協調システムにおけるスケジューリング割当方法及び装置に関する。
【背景技術】
【０００２】
強化されたロングタームエボリューション（LTE-A：Long  Term  Evolution  Advanced）システムでは、従来の同種ネットワークに低電力の送信ノードを導入して、異種ネットワークを構成する。この異種ネットワークは、マクロセル（Macro  Cell）、フェムトセル（Femto  Cell）、ピコセル（Pico  Cell）、リモート無線ヘッド（RRH：Remote  Radio  Head）、リレー（Relay）により構成されてもよい。
【０００３】
ＬＴＥ−Ａシステムにおけるセルのカバー力及びユーザ体験を改善し、システムのスループット及びユーザのデータ伝送率を向上するため、マルチポイント協調（CoMP：Coordinated  Multiple  Point）技術が導入されている。この技術では、地理的に分散した場所にある複数の送信点が協調して、ユーザ機器へデータを送信することで、セルのエッジにおけるユーザ機器の性能を強化し、セルのカバー力を改善し、セルのエッジのスループット及びシステムのスループットを向上し、性能についてのユーザ体験を向上する。
【０００４】
ＣｏＭＰ伝送方法は、結合処理（JP：Joint  Processing）、及び協調スケジューリング／ビームフォーミング（CS/CB：Coordination  Scheduling/Beamforming）を含む。そのうち、ＪＰ方法は、複数の送信点がユーザ機器へデータを同時に送信できるものであり、複数の送信点から１つ又は複数の送信点を動的に選択してユーザ機器へデータを送信する。一方、ＣＳ／ＣＢ方法は、１つだけの送信点がユーザ機器へデータを送信するものである。ここで、送信点の種類は、従来のマクロセルラー基地局又はＲＲＨであってもよいし、Ｐｉｃｏ基地局などの異種ノードであってもよい。また、高電力ノードであってもよし、低電力ノードであってもよい。
【０００５】
しかし、本発明の実施例を検討したところ、発明者は以下のことを発見した。基地局が結合伝送（JT：Joint  Transmission）、又は動的ポイント消去（DPS：Dynamic  Point  Blanking）を含む動的ポイント選択（DPS：Dynamic  Point  Selection）などの方法（いずれも結合処理（JP）の範囲に属する）によりユーザ機器をスケジューリングする場合、複数のセルの複数の物理リソースが特定のセルの特定のユーザ機器に割り当てられる可能性がある。
【０００６】
図１は、従来技術のリソース割り当ての一例を示す模式図である。図１において、Ｃｅｌｌ＃１とＣｅｌｌ＃２とは結合処理を行い、Ｃｅｌｌ＃１は１０のユーザ機器にサービスを提供し、Ｃｅｌｌ＃２は２のユーザ機器にサービスを提供する。図１に示すように、Ｃｅｌｌ＃１及びＣｅｌｌ＃２における半分のリソース（図１に示す網目状の部分）がＣｅｌｌ＃２における特定のユーザ機器への伝送に同時に用いられた場合、Ｃｅｌｌ＃１における１０のユーザ機器が残りの半分のリソースを共有するから、複数のユーザ機器を有する特定のセルのリソースが限定され、システム性能が低下してしまう。
【０００７】
なお、従来技術に関する上記の説明は、単なる本発明の技術案をより明確、完全に説明するためのものであり、当業者を理解させるために説明するものであり。これら技術案が本発明の背景技術の部分に説明されているから当業者にとって周知の技術であると解釈してはならない。
【発明の概要】
【発明が解決しようとする課題】
【０００８】
本発明の実施例は、マルチポイント協調システムにおける異なる送信点又はセル間のスケジューリングの優先順位を推定することで、マルチポイント協調により単一のユーザ機器の性能を向上できると共に、スケジューリングの順序によるセルのユーザ機器のリソースが限られることを回避できる、マルチポイント協調システムにおけるスケジューリング割当方法及び装置を提供することを目的とする。
【課題を解決するための手段】
【０００９】
本発明の実施例の一の態様では、マルチポイント協調システムのスケジューリング割当方法であって、複数のセル基地局又は送信点により送信された、それぞれのセル基地局又は送信点のサービス負荷を示す要求リソースパラメータ及びそれぞれのセル基地局又は送信点の利用可能なリソースの状態を示す利用可能リソースパラメータを受信する、情報受信ステップと、前記受信された要求リソースパラメータ及び利用可能リソースパラメータに基づいて、前記複数のセル基地局又は送信点の優先順位をソートする、優先順位ソートステップと、前記ソートされた優先順位に基づいて、前記複数のセル基地局又は送信点のスケジューリングモードを決定する、スケジューリング決定ステップと、を含む、スケジューリング割当方法を提供する。
【００１０】
本発明の実施例の他の態様では、マルチポイント協調システムにおけるセル基地局又は送信点に用いられる、前記マルチポイント協調システムのスケジューリング割当方法であって、他のセル基地局又は送信点により送信された、前記他のセル基地局又は送信点のサービス負荷を示す要求リソースパラメータ及び前記他のセル基地局又は送信点の利用可能なリソースの状態を示す利用可能リソースパラメータを受信する、情報受信ステップと、前記受信された要求リソースパラメータ及び利用可能リソースパラメータ、並びに所定の閾値に基づいて、前記セル基地局又は送信点のスケジューリングモードを決定する、スケジューリング決定ステップと、を含む、スケジューリング割当方法を提供する。
【００１１】
本発明の実施例の他の態様では、マルチポイント協調システムに用いられるスケジューリング割当装置であって、複数のセル基地局又は送信点により送信された、それぞれのセル基地局又は送信点のサービス負荷を示す要求リソースパラメータ及びそれぞれのセル基地局又は送信点の利用可能なリソースの状態を示す利用可能リソースパラメータを受信する、情報受信手段と、前記受信された要求リソースパラメータ及び利用可能リソースパラメータに基づいて、前記複数のセル基地局又は送信点の優先順位をソートする、優先順位ソート手段と、前記ソートされた優先順位に基づいて、前記複数のセル基地局又は送信点のスケジューリングモードを決定する、スケジューリング決定手段と、を含む、スケジューリング割当装置を提供する。
【００１２】
本発明の実施例の他の態様では、マルチポイント協調システムにおけるセル基地局又は送信点に配置されるスケジューリング割当装置であって、他のセル基地局又は送信点により送信された、前記他のセル基地局又は送信点のサービス負荷を示す要求リソースパラメータ及び前記他のセル基地局又は送信点の利用可能なリソースの状態を示す利用可能リソースパラメータを受信する、情報受信手段と、前記受信された要求リソースパラメータ及び利用可能リソースパラメータ、並びに所定の閾値に基づいて、前記セル基地局又は送信点のスケジューリングモードを決定する、スケジューリング決定手段と、を含む、スケジューリング割当装置を提供する。
【００１３】
本発明の実施例の他の態様では、基地局においてプログラムを実行する際に、コンピュータに、上記のスケジューリング割当方法を前記基地局において実行させるコンピュータ読み取り可能なプログラムを提供する。
【００１４】
本発明の実施例の他の態様では、コンピュータに、上記のスケジューリング割当方法を基地局において実行させるためのコンピュータ読み取り可能なプログラムを記録する記録媒体を提供する。
【００１５】
本発明の実施例の有益な効果としては、要求リソースパラメータ及び利用可能リソースパラメータに基づいて、マルチポイント協調システムにおける異なる送信点又はセル間のスケジューリングの優先順位を推定することで、マルチポイント協調により単一のユーザ機器の性能を向上できると共に、スケジューリングの順序によるセルのユーザ機器のリソースが限られることを回避することで、システム性能の低下を防止できる。
【００１６】
下記の説明及び図面に示すように、本発明の特定の実施形態が詳細に開示され、本発明の原理を採用できる方式が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００１７】
１つの実施形態に記載された特徴及び／又は示された特徴は、同一又は類似の方式で１つ又はさらに多くの他の実施形態で用いられてもよいし、他の実施形態における特徴と組み合わせてもよいし、他の実施形態における特徴に代わってもよい。
【００１８】
なお、本文では、用語「包括／含む／有する」は、特徴、部材、ステップ又はコンポーネントが存在することを指し、一つ又は複数の他の特徴、部材、ステップ又はコンポーネントの存在又は付加を排除しない。
【図面の簡単な説明】
【００１９】
本発明の多くの態様は、以下の図面を参照しながら理解できる。図面における素子は比例に応じて記載されたものではなく、本発明の原理を示すためのものである。本発明の一部分を示す又は記載するため、図面における対応部分は拡大或いは縮小される可能性がある。
【００２０】
本発明の１つの図面及び１つの実施形態に記載された要素及び特徴は、１つ又はさらに多くの図面又は実施形態に示された要素及び特徴と組み合わせてもよい。また、図面において、類似の符号は複数の図面における対応する素子を示し、１つ以上の実施形態に用いられる対応素子を示してもよい。
【図１】従来技術のリソース割り当ての一例を示す模式図である。
【図２】本発明の実施例に係るスケジューリング割当方法のフローチャートである。
【図３】本発明の実施例に係る集中型のスケジューリングを用いる例を示す模式図である。
【図４】本発明の実施例に係る分布型のスケジューリングを用いる例を示す模式図である。
【図５】本発明の実施例に係るスケジューリング割当装置の構成を示す図である。
【図６】本発明の実施例に係るスケジューリング割当方法の他のフローチャートである。
【図７】本発明の実施例に係るスケジューリング割当装置の他の構成を示す図である。
【発明を実施するための形態】
【００２１】
本発明の実施例の前述した特徴及び他の特徴は、図面を参照しながら、下記の明細書を通じて分かる。明細書及び図面では、本発明の特定の実施形態が開示され、本発明の原則的な部分を採用することができることを指す。なお、これらの実施形態は例示的なものに過ぎなく、本発明を限定するものではない。また、本発明は、本願の特許請求の範囲内において全部修正するもの、変形するもの、及び均等的なものを含む。
【００２２】
＜実施例１＞
本発明の実施例は、マルチポイント協調システムのスケジューリング割当方法を提供する。図２は、本発明の実施例に係るスケジューリング割当方法のフローチャートである。図２に示すように、該スケジューリング割当方法は、以下のステップを含む。
【００２３】
ステップ２０１：複数のセル基地局又は送信点により送信された、それぞれのセル基地局又は送信点のサービス負荷を示す要求リソースパラメータ及びそれぞれのセル基地局又は送信点の利用可能なリソースの状態を示す利用可能リソースパラメータを受信する。
【００２４】
ステップ２０２：受信された要求リソースパラメータ及び利用可能リソースパラメータに基づいて、複数のセル基地局又は送信点の優先順位をソートする。
【００２５】
ステップ２０３：ソートされた優先順位に基づいて、複数のセル基地局又は送信点のスケジューリングモードを決定する。
【００２６】
本実施例では、それぞれのセル基地局又は送信点のサービス負荷を示す要求リソースパラメータ、及びそれぞれのセル基地局又は送信点の利用可能なリソースの状態を示す利用可能リソースパラメータは、それぞれのセル基地局又は送信点により取得されてもよく、従来の方法により取得されてもよい。
【００２７】
具体的には、要求リソースパラメータは、それぞれのセル基地局又は送信点によってサービスが提供された、活動化された各ユーザ機器に要求される物理リソースブロック（PRB：Physical  Resource  Block）の平均数であってもよい。利用可能リソースパラメータは、それぞれのセル基地局又は送信点によってサービスが提供された、活動化された各ユーザ機器の利用可能なＰＲＢの平均数であってもよい。なお、本発明はこれに限定されず、実際の状況に応じて具体的なパラメータを決定してもよい。
【００２８】
本実施例では、セル基地局又は送信点のスケジューリングモードは、マルチポイント又はマルチセルが協調するスケジューリングモード、単一セルの伝送のスケジューリングモード、又は単一ポイントの伝送のスケジューリングモードなどであってもよい。
【００２９】
本実施例では、ステップ２０３において、優先順位に基づいて、前記複数のセル基地局又は送信点のリソース割り当てをさらに決定してもよい。以下は、集中型及び分布型それぞれを例として、スケジューリング割当方法を詳細に説明する。
【００３０】
１つの実施形態では、スケジューリング割当方法は、集中の方式を用いて実現され、マルチポイント協調システムにおける集中型のスケジューラに適用されてもよい。以下は、３つのセル（Cell）を例として説明しているが、本発明はこれに限定されない。
【００３１】
図３は、本発明の実施例に係る集中型のスケジューリングを用いる例を示す模式図である。図３に示すように、３つのＣｅｌｌ（Ｃｅｌｌ＃１  ３０１、Ｃｅｌｌ＃２  ３０２、及びＣｅｌｌ＃３  ３０３）、及び１つの集中型のスケジューラ３０４が含まれる。ここで、集中型のスケジューラ３０４は、他のネットワーク機器であってもよいし、該マルチポイント協調システムにおける他のセル基地局又は送信点であってもよく、実際の状況に応じて設置されてもよい。
【００３２】
具体的には、Ｃｅｌｌ＃１、Ｃｅｌｌ＃２及びＣｅｌｌ＃３は、それぞれによってサービスが提供された、活動化された各ユーザ機器のチャネル状態情報（CSI：Channel  State  Information）、例えばＲＩ、ＰＭＩ及びＣＱＩなどを含むものを集中型のスケジューラ３０４に送信してもよく、Ｃｅｌｌ＃１、Ｃｅｌｌ＃２及びＣｅｌｌ＃３は、それぞれの要求リソースパラメータ及び利用可能リソースパラメータを集中型のスケジューラ３０４にさらに送信する。
【００３３】
該要求リソースパラメータは、それぞれのセル基地局又は送信点のサービス負荷を示すものであり、Ｎ_ｒｅｑ_ｋ（ｋ＝１、…、Ｋ）で表されている。該利用可能リソースパラメータは、それぞれのセル基地局又は送信点の利用可能なリソースの状態を示すものであり、Ｎ_ａｖａｉ_ｋ（ｋ＝１、…、Ｋ）で表されている。Ｋは、複数のセル基地局又は送信点の数である。
【００３４】
好適には、Ｎ_ｒｅｑ_１、Ｎ_ｒｅｑ_２、…、Ｎ_ｒｅｑ_Ｋは、それぞれのセルにより推定された、活動化された各ユーザ機器に要求される物理リソースブロック（PRB：Physical  Resource  Block）の平均数であり、Ｎ_ａｖａｉ_１、Ｎ_ａｖａｉ_２、…、Ｎ_ａｖａｉ_Ｋは、各セル又は送信点の、活動化された各ユーザ機器の利用可能なＰＲＢの平均数である。
【００３５】
よって、セル又は送信点に関する（cell-specific）２つのＸ２ポートのシグナリングを新たに定義してもよく、１つは、各ユーザ機器に要求されるＰＲＢの数の平均値であり、もう１つは、各ユーザ機器の利用可能なＰＲＢの数の平均値である。また、この２つの新しいインタフェースシグナリングを用いて、複数のセル又は送信点のスケジューリング優先順位を決定できる。
【００３６】
具体的には、ステップ２０２は、各セル基地局又は送信点について、利用可能リソースパラメータに対する要求リソースパラメータの比率を、セル基地局又は送信点の優先順位基準値として、計算する、優先順位計算ステップと、優先順位基準値に基づいて、複数のセル基地局又は送信点の優先順位を決定する、優先順位決定ステップと、を含んでもよい。
【００３７】
例えば、Ｎ_ｒｅｑ_１＝３，Ｎ_ｒｅｑ_２＝２，Ｎ_ｒｅｑ_３＝５，Ｎ_ｒｅｑ_４＝１０，Ｎ_ａｖａｉ_１＝７，Ｎ_ａｖａｉ_２＝２，Ｎ_ａｖａｉ_３＝６，Ｎ_ａｖａｉ_４＝３の場合、Ｃｅｌｌ＃１に対応する優先順位基準値が３／７であり、Ｃｅｌｌ＃２に対応する優先順位基準値が２／２であり、Ｃｅｌｌ＃３に対応する優先順位基準値が５／６であり、Ｃｅｌｌ＃４に対応する優先順位基準値が１０／３であると決定でき、優先順位の順位は、Ｃｅｌｌ＃４、Ｃｅｌｌ＃２、Ｃｅｌｌ＃３、Ｃｅｌｌ＃１であると決定できる。
【００３８】
本実施形態では、ソートされる基準値は、（Ｎ_ｒｅｑ_ｋ／Ｎ_ａｖａｉ_ｋ）である。もう１つの特別の場合は、各セルの負荷が高くて、基本的に一致すると、基準値は、（１／Ｎ_ａｖａｉ_ｋ）と変更してもよい。
【００３９】
他の実施形態では、スケジューリング割当方法は、分布の方式を用いて実現され、複数のセル基地局又は送信点のうち１つのセル基地局又は送信点に適用されてもよい。以下は、２つのＣｅｌｌを例として説明するが、本発明はこれに限定されない。
【００４０】
図４は、本発明の実施例に係る分布型のスケジューリングを用いる例を示す模式図である。図４に示すように、２つのＣｅｌｌ（Ｃｅｌｌ＃１  ４０１及びＣｅｌｌ＃２  ４０２）が含まれる。ここで、Ｃｅｌｌ＃１  ４０１を例として説明し、Ｃｅｌｌ＃２  ４０２の状況がＣｅｌｌ＃１  ４０１と類似するため、ここにその説明を省略される。
【００４１】
具体的には、Ｃｅｌｌ＃１  ４０１は、ＣｏＭＰモードでユーザ機器ＵＥ＃１をスケジューリングしておき、Ｃｅｌｌ＃２  ４０２に対応する時間周波数リソースを同時に占有する必要がある。一方、Ｃｅｌｌ＃２  ４０２は、ＣｏＭＰモードでユーザ機器ＵＥ＃２をスケジューリングしておき、Ｃｅｌｌ＃１  ４０１に対応する時間周波数リソースを同時に占有する必要がある。そして、Ｃｅｌｌ＃１  ４０１はＮ_ａｖａｉ_１及びＮ_ｒｅｑ_１をＣｅｌｌ＃２  ４０２に転送し、Ｃｅｌｌ＃２  ４０２はＮ_ａｖａｉ_２及びＮ_ｒｅｑ_２をＣｅｌｌ＃１  ４０１に転送する。
【００４２】
Ｃｅｌｌ＃１  ４０１は、Ｎ_ａｖａｉ_２及びＮ_ｒｅｑ_２を受信した後、自分のＮ_ａｖａｉ_１及びＮ_ｒｅｑ_１をさらに取得してもよい。比率（Ｎ_ｒｅｑ_ｋ_２／Ｎ_ａｖａｉ_ｋ_２）、及び比率（Ｎ_ｒｅｑ_ｋ_１／Ｎ_ａｖａｉ_ｋ_１）を計算してもよい。Ｃｅｌｌ＃１  ４０１のスケジューラは、（Ｎ_ｒｅｑ_ｋ_２／Ｎ_ａｖａｉ_ｋ_２）と（Ｎ_ｒｅｑ_ｋ_１／Ｎ_ａｖａｉ_ｋ_１）とを比較して、比較の結果に基づいて、２つのセルにより行われるＣｏＭＰスケジューリング及びリソース占有の優先順位を決定してもよい。
【００４３】
本発明の実施例は、マルチポイント協調システムに用いられるスケジューリング割当装置をさらに提供する。このスケジューリング割当装置は、上述したスケジューリング割当方法と同じであるため、ここにその説明を省略される。
【００４４】
図５は、本発明の実施例に係るスケジューリング割当装置の構成を示す図である。図５に示すように、スケジューリング割当装置は、情報受信部５０１、優先順位ソート部５０２、及びスケジューリング決定部５０３を含む。
【００４５】
情報受信部５０１は、複数のセル基地局又は送信点により送信された、それぞれのセル基地局又は送信点のサービス負荷を示す要求リソースパラメータ及びそれぞれのセル基地局又は送信点の利用可能なリソースの状態を示す利用可能リソースパラメータを受信する。優先順位ソート部５０２は、受信された要求リソースパラメータ及び利用可能リソースパラメータに基づいて、複数のセル基地局又は送信点の優先順位をソートする。スケジューリング決定部５０３は、ソートされた優先順位に基づいて、複数のセル基地局又は送信点のスケジューリングモードを決定する。
【００４６】
さらに、スケジューリング決定部５０３は、優先順位に基づいて、複数のセル基地局又は送信点のリソース割り当てをさらに決定してもよい。
【００４７】
１つの実施形態では、該スケジューリング割当装置は、マルチポイント協調システムにおける集中型のスケジューラに配置されてもよい。
【００４８】
もう１つの実施形態では、該スケジューリング割当装置は、複数のセル基地局又は送信点のうち１つのセル基地局又は送信点に配置されてもよい。
【００４９】
好適には、該要求リソースパラメータは、セル基地局又は送信点によってサービスが提供された、活動化された各ユーザ機器に要求されるＰＲＢの平均数であってもよい。該利用可能リソースパラメータは、セル基地局又は送信点によってサービスが提供された、活動化された各ユーザ機器の利用可能なＰＲＢの平均数であってもよい。
【００５０】
さらに、優先順位ソート部５０２は、各セル基地局又は送信点について、利用可能リソースパラメータに対する要求リソースパラメータの比率を、セル基地局又は送信点の優先順位基準値として、計算する、優先順位計算部と、優先順位基準値に基づいて、複数のセル基地局又は送信点の優先順位を決定する、優先順位決定部と、を含んでもよい。
【００５１】
以上の実施例によれば、要求リソースパラメータ及び利用可能リソースパラメータに基づいて、マルチポイント協調システムにおける異なる送信点又はセル間のスケジューリングの優先順位を推定することで、マルチポイント協調により単一のユーザ機器の性能を向上できると共に、スケジューリングの順序によるセルのユーザ機器のリソースが限られることを回避することで、システム性能の低下を防止できる。
【００５２】
＜実施例２＞
本発明の実施例は、マルチポイント協調システムにおけるセル基地局又は送信点に用いられる、該マルチポイント協調システムのスケジューリング割当方法をさらに提供する。実施例１と同じ内容について、ここにその説明を省略される。
【００５３】
図６は、本発明の実施例に係るスケジューリング割当方法の他のフローチャートである。図６に示すように、該スケジューリング割当方法は、以下のステップを含む。
【００５４】
ステップ６０１：他のセル基地局又は送信点により送信された、該他のセル基地局又は送信点のサービス負荷を示す要求リソースパラメータ及び該他のセル基地局又は送信点の利用可能なリソースの状態を示す利用可能リソースパラメータを受信する。
【００５５】
ステップ６０２：受信された要求リソースパラメータ及び利用可能リソースパラメータ、並びに所定の閾値に基づいて、該セル基地局又は送信点のスケジューリングモードを決定する。
【００５６】
具体的には、該セル基地局又は送信点と、該他のセル基地局又は送信点とは、分布型の方式で配置されてもよい。ここで、他のセル基地局又は送信点は１つ又は複数であってもよく、実際の状況に応じて具体的な数を決定してもよい。
【００５７】
本実施例では、セル基地局又は送信点のスケジューリングモードは、マルチのセル又はマルチポイントが協調するスケジューリングモード、又は単一セルの伝送のスケジューリングモードなどであってもよい。ステップ６０２において、比較結果に基づいて、セル基地局又は送信点のリソース割り当てをさらに決定してもよい。
【００５８】
具体的には、該要求リソースパラメータは、他のセル基地局又は送信点によってサービスが提供された、活動化された各ユーザ機器に要求されるＰＲＢの平均数であってもよい。該利用可能リソースパラメータは、他のセル基地局又は送信点によってサービスが提供された、活動化された各ユーザ機器の利用可能なＰＲＢの平均数であってもよい。
【００５９】
具体的には、ステップ６０２は、利用可能リソースパラメータに対する要求リソースパラメータの比率を、他のセル基地局又は送信点の基準値として、計算する、基準値計算ステップと、基準値と閾値とを比較し、比較結果に基づいてセル基地局又は送信点のスケジューリングモードを決定する、モード決定ステップと、を含んでもよい。
【００６０】
さらに、基準値計算ステップにおいて、利用可能リソースパラメータに対する要求リソースパラメータの比率の事後値を、他のセル基地局又は送信点の基準値として、計算してもよい。よって、推定をより正確に行うことができる。
【００６１】
以下は、同様に図４に示される分布型の構成を例として、スケジューリング割当方法を詳細に説明する。ここで、Ｃｅｌｌ＃１は、上述したセル基地局又は送信点に対応し、Ｃｅｌｌ＃２は、上述した他のセル基地局又は送信点に対応する。
【００６２】
具体的には、Ｃｅｌｌ＃１は、ＣｏＭＰモードで自分のセルのユーザ機器ＵＥ＃１をスケジューリングしておき、Ｃｅｌｌ＃２の時間周波数リソースを同時に占有する必要がある。Ｃｅｌｌ＃２は、Ｎ_ａｖａｉ_２及びＮ_ｒｅｑ_２をＣｅｌｌ＃１に送信する。Ｃｅｌｌ＃１は、ＣｏＭＰモードでＵＥ＃１をスケジューリングしている場合、このセクションの時間周波数リソースを自分で占有するときの、（Ｎ_ｒｅｑ_ｋ_２／Ｎ_ａｖａｉ_ｋ_２）の事後値を推定することで、該比率の事後値を取得してもよい。
【００６３】
そして、Ｃｅｌｌ＃１は、推定された（Ｎ_ｒｅｑ_ｋ_２／Ｎ_ａｖａｉ_ｋ_２）の事後値と予め設定された閾値とを比較して、Ｃｅｌｌ＃１がＣｏＭＰモード又は単一セルの伝送モードでＵＥ＃１をスケジューリングするか否かを決定してもよい。
【００６４】
本発明の実施例は、マルチポイント協調システムにおけるセル基地局又は送信点に配置されるスケジューリング割当装置をさらに提供する。スケジューリング割当装置と上述したスケジューリング割当方法と同じ内容について、ここにその説明を省略される。
【００６５】
図７は、本発明の実施例に係るスケジューリング割当装置の他の構成を示す図である。図７に示すように、このスケジューリング割当装置は、情報受信部７０１、及びスケジューリング決定部７０２を含む。
【００６６】
情報受信部７０１は、他のセル基地局又は送信点により送信された、該他のセル基地局又は送信点のサービス負荷を示す要求リソースパラメータ及び前記他のセル基地局又は送信点の利用可能なリソースの状態を示す利用可能リソースパラメータを受信する。
【００６７】
スケジューリング決定部７０２は、受信された要求リソースパラメータ及び利用可能リソースパラメータ、並びに所定の閾値に基づいて、該セル基地局又は送信点のスケジューリングモードを決定する。
【００６８】
好適には、該要求リソースパラメータは、他のセル基地局又は送信点によってサービスが提供された、活動化された各ユーザ機器に要求されるＰＲＢの平均数であってもよい。該利用可能リソースパラメータは、他のセル基地局又は送信点によってサービスが提供された、活動化された各ユーザ機器の利用可能なＰＲＢの平均数であってもよい。
【００６９】
さらに、スケジューリング決定部７０２は、利用可能リソースパラメータに対する要求リソースパラメータの比率を、他のセル基地局又は送信点の基準値として、計算する、基準値計算部と、基準値と閾値とを比較し、比較結果に基づいてセル基地局又は送信点のスケジューリングモードを決定する、モード決定部と、を含んでもよい。
【００７０】
さらに、該基準値計算部は、利用可能リソースパラメータに対する要求リソースパラメータの比率の事後値を、他のセル基地局又は送信点の基準値として、さらに計算する。
【００７１】
さらに、スケジューリング決定部７０２は、比較結果に基づいて、セル基地局又は送信点のリソース割り当てをさらに決定してもよい。
【００７２】
上記実施例によれば、要求リソースパラメータ及び利用可能リソースパラメータに基づいて、マルチポイント協調システムにおける異なる送信点又はセル間のスケジューリングの優先順位を推定することで、マルチポイント協調により単一のユーザ機器の性能を向上できると共に、スケジューリングの順序によるセルのユーザ機器のリソースが限られることを回避することで、システム性能の低下を防止できる。
【００７３】
本発明の実施例は、基地局においてプログラムを実行する際に、コンピュータに、上記のスケジューリング割当方法を前記基地局において実行させるコンピュータ読み取り可能なプログラム、をさらに提供する。
【００７４】
本発明の実施例は、コンピュータに、上記のスケジューリング割当方法を基地局において実行させるためのコンピュータ読み取り可能なプログラムを記録する記録媒体、をさらに提供する。
【００７５】
本発明の以上の装置及び方法は、ハードウェアにより実現されてもよく、ハードウェアとソフトウェアを結合して実現されてもよい。本発明はコンピュータが読み取り可能なプログラムに関し、該プログラムはロジック部により実行される時に、該ロジック部に上述した装置又は構成要件を実現させる、或いは該ロジック部に上述した各種の方法又はステップを実現させることができる。本発明は上記のプログラムを記憶するための記憶媒体、例えばハードディスク、ディスク、光ディスク、ＤＶＤ、フラッシュメモリ等に関する。
【００７６】
以上、具体的な実施形態を参照しながら本発明を説明しているが、上記の説明は、例示的なものに過ぎず、本発明の保護の範囲を限定するものではない。本発明の趣旨及び原理を離脱しない限り、本発明に対して各種の変形及び修正を行ってもよく、これらの変形及び修正も本発明の範囲に属する。
【図１】
2014531835.tif 000003
【図２】
2014531835.tif 000004
【図３】
2014531835.tif 000005
【図４】
2014531835.tif 000006
【図５】
2014531835.tif 000007
【図６】
2014531835.tif 000008
【図７】
2014531835.tif 000009
【国際調査報告】
2014531835.tif 000010
2014531835.tif 000011
2014531835.tif 000012
2014531835.tif 000013